(57)【要約】【課題】簡単な構成を有し、撮像素子への露光状態と非露光状態との切り換えの応答性が早く、かつ、ファインダ光学系から入射する光の遮光も可能である一眼レフカメラを提供する。【解決手段】一眼レフカメラは、撮像素子と、上記撮像素子の受光面に被写体像を生成する撮影光学系と、スクリーン５，ペンタプリズム６，接眼レンズとからなるファインダ光学系と、上記撮影光学系を経た被写体光束をメインミラー１２の反射面にて反射して上記ファインダ光学系に導く観察位置（Ａ）と、上記ファインダ光学系の光軸から退避し、上記被写体光束を上記受光面に入射可能とする退避位置（Ｂ）との間を、上記反射面の角度は保ったまま、上記ファインダ光学系の光軸を横切るようにスライドする反射ユニット２と、上記反射ユニットのスライドに連動して、上記ファインダ光学系からの入射光を遮る遮光幕ユニット１７とを具備する。【選択図】図５
2009037132.tif 000002
【特許請求の範囲】
【請求項１】
撮像素子と、
上記撮像素子の受光面に入射させる被写体光束に係る被写体像を生成する撮影光学系と、
ファインダに上記被写体像を形成するファインダ光学系と、
上記撮影光学系を経た被写体光束を反射面にて反射して上記ファインダ光学系に導く第一の位置と、上記ファインダ光学系の光軸から退避し、上記被写体光束を上記受光面に入射可能とする第二の位置との間を、上記反射面の角度は保ったまま、上記ファインダ光学系の光軸を横切る方向に沿ってスライドする反射ユニットと、
上記反射ユニットのスライドに連動して、上記ファインダ光学系からの入射光を遮る遮光幕ユニットと、
を具備する一眼レフカメラ。
【請求項２】
上記遮光幕ユニットは、上記反射ユニットを挟んで上記スライド方向の両側に第一の可動遮光幕と第二の可動遮光幕とが設けられてなり、上記反射ユニットのスライド方向に応じ、上記第一、または、第二の可動遮光幕の何れか一方が遮光位置に配置されることを特徴とする請求項１記載の一眼レフカメラ。
【請求項３】
上記遮光幕ユニットは、上記反射ユニットが上記第一の位置にあるときには折り畳まれ、上記第二の位置に移動するにつれて展開されることを特徴とする請求項１記載の一眼レフカメラ。
【請求項４】
上記遮光幕ユニツトは、上記反射ユニットが上記第一の位置にあるときには巻き込まれ、上記第二の位置に移動するにつれて展開されることを特徴とする請求項１記載の一眼レフカメラ。
【発明の詳細な説明】
【技術分野】
【０００１】
本発明は、撮像素子を用いて被写体像を撮影する一眼レフカメラの構造に関する。
【背景技術】
【０００２】
従来、撮像素子を用いた撮像装置である通常の一眼レフカメラの構成として、例えば、特許文献１などに開示されたものには、図１１の主要構成を示す配置図のように撮影レンズ光軸（Ｏ）上に沿って着脱可能な撮影レンズ１０１と、サブミラー１０２ａを備えたハーフミラーからなる可動ミラー１０２と、シャッタ１０３と、撮像素子１０４とが配され、さらに、光軸の上側方にスクリーン１０５とペンタプリズム１０６および接眼レンズ１０７とからなるファインダ光学系が配されており、また、光軸の下側方にＡＦセンサ部１０８とが配されている。
【０００３】
可動ミラー１０２は、光軸と直交する平面に沿って左右に延びるミラー軸１０２ｂに開閉回動可能な状態でバネにより付勢された状態で支持されており、電源オン時、ファインダ観察時、ＡＦ時に撮影光路中に傾斜した光路進入位置（撮像素子非露光状態の位置）に回動駆動され、露光時に上記撮影光路から退避した退避位置（撮像素子露光状態の位置）に回動駆動される。可動ミラー１０２が退避位置にある状態では、スクリーン１０５が遮光された状態に保持されているので、上記露光状態で上記ファインダユニット側から進入する不要光が可動ミラー１０２によって遮光される。
【特許文献１】特開昭６１−４６９４１号公報
【発明の開示】
【発明が解決しようとする課題】
【０００４】
しかし、上記従来の一眼レフカメラにおいては、上記可動ミラー１０２の回動駆動速度自体に限界があり、高速連写撮影における連写速度が制限される。近年では１０コマ／秒以上の連写が可能な高速処理が可能な撮像素子も開発されており、そのような撮像素子に対して上記従来の可動ミラー駆動機構では対応が難しいと思われる。
【０００５】
また、退避位置から光路進入位置に回動した際の応答動作が遅れる。詳しくは、可動ミラーが急激に停止することからバウンドが生じ、素早くファインダ観察状態に移行したり、切り換え後に直ちにＡＦ処理を開始することが難しかった。
【０００６】
上述のような高速連写が可能なカメラとして上記揺動式以外の可動ミラーを採用した構造を考えた場合、上記ファインダ光学系側からの入射する不要光が遮光できないといった問題が生じる。
【０００７】
本発明は、上述の問題を解決するためになされたものであり、簡単な構成を有し、撮像素子への露光状態と非露光状態との切り換えの応答性が早く、かつ、ファインダ光学系から入射する光の遮光も可能である一眼レフカメラを提供することを目的とする。
【課題を解決するための手段】
【０００８】
本発明の請求項１記載の一眼レフカメラは、撮像素子と、上記撮像素子の受光面に入射させる被写体光束に係る被写体像を生成する撮影光学系と、ファインダに上記被写体像を形成するファインダ光学系と、上記撮影光学系を経た被写体光束を反射面にて反射して上記ファインダ光学系に導く第一の位置と、上記ファインダ光学系の光軸から退避し、上記被写体光束を上記受光面に入射可能とする第二の位置との間を、上記反射面の角度は保ったまま、上記ファインダ光学系の光軸を横切る方向に沿ってスライドする反射ユニットと、上記反射ユニットのスライドに連動して、上記ファインダ光学系からの入射光を遮る遮光幕ユニットとを具備する。
【０００９】
本発明の請求項２記載の一眼レフカメラは、請求項１記載の一眼レフカメラにおいて、上記遮光幕ユニットは、上記反射ユニットを挟んで上記スライド方向の両側に第一の可動遮光幕と第二の可動遮光幕とが設けられてなり、上記反射ユニットのスライド方向に応じ、上記第一、または、第二の可動遮光幕の何れか一方が遮光位置に配置される。
【００１０】
本発明の請求項３記載の一眼レフカメラは、請求項１記載の一眼レフカメラにおいて、上記遮光幕ユニットは、上記反射ユニットが上記第一の位置にあるときには折り畳まれ、上記第二の位置に移動するにつれて展開される。
【００１１】
本発明の請求項４記載の一眼レフカメラは、請求項１記載の一眼レフカメラにおいて、上記遮光幕ユニツトは、上記反射ユニットが上記第一の位置にあるときには巻き込まれ、上記第二の位置に移動するにつれて展開される。
【発明の効果】
【００１２】
本発明によれば、簡単な構成を有し、撮像素子への露光状態と非露光状態との切り換えの応答性が早く、かつ、ファインダ光学系から入射する不要光の遮光も可能である撮像装置を提供することができる。
【発明を実施するための最良の形態】
【００１３】
以下、図を用いて本発明の実施形態について説明する。
【００１４】
図１，２は、本発明の第一の実施形態の一眼レフカメラの主要構成を示す光軸側面から見た配置図であって、図１は上記カメラのファインダ観察／ＡＦ測距状態を示し、図２は上記カメラの撮像素子露光状態を示している。図３，４は、上記一眼レフカメラに適用される反射ユニットと遮光幕ユニットの作動状態を示す正面図であって、図３はファインダ観察／ＡＦ測距状態を示し、図４は撮像素子露光状態を示している。図５は、上記反射ユニットと遮光幕ユニットまわりの撮像素子露光状態における斜視図である。
【００１５】
本実施形態の一眼レフカメラ１０は、図１，２に示すようにカメラボディ（図示せず）に着脱可能な撮影レンズ１と、カメラボディに内蔵される部材として撮影レンズ１の後方に被写体側から順に撮影光学系の光軸であるレンズ光軸（図中、「Ｏ」で示す）に沿って配される反射ユニット２および遮光幕ユニット１７と、シャッタユニット３と、撮像素子４とを具備し、さらに、レンズ光軸の上方に配され、後述するファインダ光学系と、レンズ光軸の下方側に配される検出器としてのＡＦセンサ部８と、制御部９と、反射ユニット・遮光幕ユニット駆動機構部を具備している。
【００１６】
撮影レンズ１は、被写体光束を取り込み、その被写体像を撮像素子４の受光面４ａ上に結像させる撮影光学系である。
【００１７】
上記ファインダ光学系は、レンズ光軸の上方位置であって、レンズ光軸と交差するファインダ光軸上に配されるスクリーン５と、スクリーン５上方に配されるペンタプリズム６と、ペンタプリズム６の後方に配される接眼レンズ７とからなる。なお、接眼レンズ近傍には、ＡＥ測光センサ部（図示せず）が配されている。
【００１８】
ＡＦセンサ部８は、取り込まれた被写体光束の光学特性である被写体像の合焦状態を検出するためのＡＦ測距センサを有する。
【００１９】
反射ユニット２は、ミラー枠１１と該ミラー枠に保持され、上記被写体光束をファインダ光軸方向に反射するメインミラー１２と、該メインミラーの中央のハーフミラー部の裏面側に固定支持され、上記被写体光束の一部をＡＦセンサ部８側に反射するサブミラー１３とからなる。ミラー枠１１は、後述する反射ユニット・遮光幕ユニット駆動機構部によりガイド軸１４ａ，１４ｂに沿ってＸ方向にスライド移動可能に支持されている。
【００２０】
なお、上記Ｘ方向は、レンズ光軸に対して交差する水平（−，＋）方向とする。
【００２１】
遮光幕ユニット１７は、薄板平板状の遮光板からなり、両端部にガイドピン１７ａ，１７ｂを有しており、ガイドピン１７ａ，１７ｂは、後述する遮光幕ユニットガイド部材１８のガイド溝１８ａに摺動可能に嵌入している。この遮光幕ユニット１７は、リンク１６を介して反射ユニット２に連動して駆動される。
【００２２】
上記反射ユニット・遮光幕ユニット駆動機構部は、図３，４に示すようにレンズ光軸を挟んで斜め上下位置にＸ方向に沿った状態で配置され、ミラー枠１１を摺動可能に支持する一対のガイド軸１４ａ，１４ｂと、Ｌ字状に屈曲した形状を有し、ガイド溝１８ａを備えた遮光幕ユニットガイド部材１８と、ミラー枠１１をＸ方向に摺動駆動するための部材であって、一端側がカメラボディ側に揺動可能に支持され、かつ、他端側がミラー枠１１に支持される揺動アーム１５と、遮光幕ユニット１７を摺動駆動するための部材であって、一端側がミラー枠１１側に揺動可能に支持され、かつ、他端側が遮光幕ユニット１７に回動可能に支持されるリンク１６と、揺動アーム１５を揺動駆動するための反射ユニット駆動モータ１９とからなる。なお、遮光幕ユニットガイド部材１８のＬ字状角部１８ｂは、所定の曲率で折れ曲がり、ガイドピン１７ａ，１７ｂがスムーズに移動できるようになっている。
【００２３】
遮光幕ユニットガイド部材１８は、一対のガイド軸１４ａ，１４ｂに対して平行な面に沿って配置されている。
【００２４】
反射ユニット２は、駆動モータ１９により上記反射ユニット・遮光幕ユニット駆動機構部を介して駆動され、ガイド軸１４ａ，１４ｂにガイドされながらレンズ光軸に対して所定の角度傾斜した状態を維持したままでメインミラー１２が＋Ｘ側のレンズ光軸上の第一の位置であるファインダ観察位置（Ａ）（図１，３）と、−Ｘ側のレンズ光軸上から退避した第二の位置である退避位置（Ｂ）（図２，４）とスライド移動する。メインミラー１２が上記ファインダ観察位置（Ａ）にある状態では、上記被写体光束は、メインミラー１２により上方に反射され、スクリーン５上に達する。被写体光束の一部は、メインミラー１２のハーフミラー部を透過し、サブミラー１３で反射され、ＡＦセンサ部８に入射する。また、メインミラー１２が上記退避位置（Ｂ）にある状態では、上記被写体光束は、開状態のシャッタユニット３を透過し、撮像素子４の受光面４ａに達する。
【００２５】
遮光幕ユニット１７は、反射ユニット２と連動して駆動され、メインミラー１２が上記ファインダ観察位置（Ａ）にあるときには、スクリーン５の下方からレンズ光軸側方に退避した退避位置（Ｃ）にある（図１，３）。この状態では被写体光束は、メインミラー１２で反射され、遮光幕ユニット１７で遮られることなくスクリーン５側に達する。また、反射ユニット２のメインミラー１２が退避位置（Ｂ）に移動すると、リンク１６を介してガイドピン１７ａが駆動され、遮光幕ユニット１７が遮光幕ユニットガイド部材１８のガイド溝１８ａによりガイドされ、スクリーン５の下方の遮光位置（Ｄ）に移動する（図２，４）。この状態では、上記ファインダ光学系の接眼レンズ７から進入し、ペンタプリズム６を経てスクリーン５に達した不要光が遮光幕ユニット１７によりカットされ、撮影光路内に進入するのが防止される。
【００２６】
制御部９は、レリーズスイッチ（図示せず）の一段目、および、二段目操作信号を取り込み、その操作信号に基づいて駆動モータ１９を駆動制御して反射ユニット２の位置を制御し、該移動動作によりファインダ観察および測距状態と、撮像素子露光状態との切り替え制御を行う。上記露光状態にて撮像素子４により被写体光束による被写体像の撮像信号を取り込み、撮像処理の制御を行う。
【００２７】
上述の構成を有する本実施形態の一眼レフカメラ１０による単写撮影は、制御部９の制御のもとで各動作の制御が実行され、まず、電源オン時に反射ユニット２を移動させ、メインミラー１２をレンズ光軸上のファインダ観察位置（Ａ）に移動させ、遮光幕ユニット１７をスクリーン５の下方からレンズ光軸の側方の退避位置（Ｃ）に退避させる（図１，３）。この状態では撮影レンズ１を通して入射する被写体光束がメインミラー１２で反射され、遮光幕ユニット１７で遮られることなくスクリーン５に達し、ペンタプリズム６と接眼レンズ７を介して光学ファインダによる被写体像の観察が可能である。
【００２８】
上記レリーズスイッチ（図示せず）の一段目操作にてメインミラー１２がファインダ観察位置（Ａ）にある状態で該メインミラーを透過した被写体光束の一部がサブミラー１３で反射され、ＡＦセンサ部８に入射し、測距信号が検出される。該測距信号に基づいて撮影レンズ１のピント合わせが行われる。
【００２９】
続いて、上記レリーズスイッチの二段目操作により駆動モータ１９が回転駆動され、反射ユニット２のミラー枠１１を−Ｘ方向にスライド駆動してメインミラー１２を退避位置（Ｂ）に移動させ、同時に遮光幕ユニット１７をスクリーン５の下方の遮光位置（Ｄ）に移動させる（図２，４）。被写体光束は、シャッタユニット３を透過して撮像素子４の受光面４ａ上に結像し、撮像素子４の露光が開始される。この状態では上記ファインダ光学系から進入する不要光は、遮光幕ユニット１７により遮られ、撮影光路上には進入しない。
【００３０】
撮像素子４による撮像信号は、画像処理後、メディア等の記憶媒体（図示せず）に記録される。露光終了後、反射ユニット２は、＋Ｘ方向にスライド駆動され、メインミラー１２が再度ファインダ観察位置（Ａ）に戻され、同時に遮光幕ユニット１７もレンズ光軸側方の退避位置（Ｃ）に戻される（図１，３）。
【００３１】
本実施形態の一眼レフカメラによる連写撮影も同様に制御部９の制御のもとで各動作の制御が実行され、まず、上記レリーズスイッチの一段目操作が行われると、上述した単写時と同様にメインミラー１２がファインダ観察位置（Ａ）にある状態でＡＦセンサ部８による測距が実行され、撮影レンズ１のピント合わせが行われる。
【００３２】
続いて、上記レリーズスイッチの二段目操作により反射ユニット駆動モータ１９が正逆転駆動され、メインミラー１２が連写速度（コマ／秒）に応じてファインダ観察位置（Ａ）から退避位置（Ｂ）間のスライド移動が繰り返される。連写撮影中、メインミラー１２がファインダ観察位置（Ａ）に到達する度にＡＦセンサ部８による測距信号が検出される。また、ファインダによる観察もちらつきのある状態で可能である。そして、メインミラー１２が退避位置（Ｂ）に移動する度に遮光幕ユニット１７がスクリーン５の下方の遮光位置（Ｄ）に移動し、ファインダ光学系からの不要光の撮影光路への進入が防止される。その状態で被写体光束は、撮像素子４の受光面４ａに到達し、結像し、撮像素子４による連写のための露光が実行される。
【００３３】
撮像素子４の撮像信号は、画像処理され、連写画像信号として順次メディア等に記録される。そのとき、ライブビュー表示も可能である。上記レリーズスイッチを解放したとき、メインミラー１２をファインダ観察位置（Ａ）に戻した状態で反射ユニット２を停止させ、連写撮影を終了させる。
【００３４】
上述した本実施形態の一眼レフカメラ１０によれば、図１１に示した従来の一眼レフカメラ１００にて適用された揺動式可動ミラー１０２に替えてＸ方向にスライド移動可能な反射ユニット２を採用していることから、被写体光束の光路中のレンズ光軸方向に狭いスペースに反射ユニット２を収容することができる。反射ユニット２のメインミラー１２が退避位置にある状態では遮光幕ユニット１７がスクリーン５の下方に移動しており、ファインダ側から撮像光路側への不要光が遮光されるので該不要光による影響がない良好な撮像信号が得られる。同時に、メインミラー１２およびサブミラー１３は、その傾斜角度が一定の状態でスライド移動することから移動中を含み停止時においてもミラーのバウンドの影響がなく、素早く光学ファインダ観察状態に切り替え、また、速やかにＡＥ測光，ＡＦ測距を行うことができ、同時に撮像素子４の露光状態への切り替え応答性も早くなる。また、連写撮影時においても上述のように切り替え応答性が早いことから連写速度の高速化が可能となる。
【００３５】
次に本発明の第二の実施形態の一眼レフカメラについて、図６〜８を用いて説明する。  
図６〜８は、本実施形態の一眼レフカメラにおける反射ユニットおよび遮光幕ユニットの主要構成を示す各動作状態での正面図であって、図６，８は上記カメラのファインダ観察／ＡＦ測距状態を示し、図７は上記カメラの撮像素子露光状態を示している。
【００３６】
本実施形態の一眼レフカメラは、前記第一の実施形態の一眼レフカメラ１０に対して反射ユニット及び遮光幕ユニットの構成のみがことなり、他の構成は同一である。同一の構成要素に対しては、同一の符号を付し、以下、異なる構成についてのみ説明する。
【００３７】
本実施形態の一眼レフカメラは、反射ユニット・遮光幕ユニット駆動機構部によりスライド駆動される一つの反射ユニット３０と一対の遮光幕ユニット３７，３８を有している。
【００３８】
反射ユニット３０は、図６〜８に示すようにミラー枠３１と、該ミラー枠に保持され、上記被写体光束をファインダ光軸方向に反射するメインミラー３２と、該メインミラーの中央のハーフミラー部の裏面側に固定支持され、上記被写体光束の一部をＡＦセンサ部８側に反射するサブミラー３３とからなる。ミラー枠３１は、後述する反射ユニット・遮光幕ユニット駆動機構部によりガイド軸３４ａ，３４ｂに沿ってＸ方向にスライド移動可能に支持されている。
【００３９】
遮光幕ユニット３７，３８は、薄板平板状の第一，二の可動遮光幕を構成しており、各両端部にガイドピン３７ａ，３７ｂ、また、３８ａ，３８ｂを有している。ガイドピン３７ａ，３７ｂ，３８ａ，３８ｂは、後述する反射ユニット・遮光幕ユニット駆動機構部の遮光幕ユニットガイド部材３９のガイド溝３９ａに摺動可能に嵌入している。遮光幕ユニット３７，３８は、それぞれリンク３５，３６を介して反射ユニット３０に連動して駆動される。
【００４０】
上記反射ユニット・遮光幕ユニット駆動機構部は、図６〜８に示すようにレンズ光軸を挟んで斜め上下位置にＸ方向に沿って配置され、ミラー枠３１を摺動可能に支持する一対のガイド軸３４ａ，３４ｂと、Ｌ字型に屈曲した形状を有し、ガイド溝３９ａを備えた遮光幕ユニットガイド部材３９と、遮光幕ユニット３７，３８を摺動駆動するための部材であって、一端側がミラー枠３１側に揺動可能に支持され、かつ、他端側が遮光幕ユニット３７，３８に回動可能に支持されるリンク３５，３６と、反射ユニット３０をワイヤ等を介してスライド駆動する反射ユニット駆動モータ２９とからなる。なお、遮光幕ユニットガイド部材３９のＬ字状角部３９ｂは、所定の曲率で折れ曲がっており、ガイドピン３７ａ，３７ｂ、また、３８ａ，３８ｂがスムーズに移動できるようになっている。また、遮光幕ユニットガイド部材３９は、一対のガイド軸３４ａ，３４ｂに対して平行な面に沿って配置されている。
【００４１】
反射ユニット３０は、反射ユニット駆動モータ２９により上記反射ユニット・遮光幕ユニット駆動機構部を介して駆動され、メインミラー３２がＸ方向中央であるレンズ光軸上の第一の位置であるファインダ観察位置（Ｅ）（図６）と、＋Ｘ側のレンズ光軸上から退避した第二の位置である退避位置（Ｆ）（図７）、または、−Ｘ側のレンズ光軸上から退避した第二の位置である退避位置（Ｇ）（図８）の間をレンズ光軸に対して所定の角度傾斜した状態を維持したままで移動する。
【００４２】
遮光幕ユニット３７，３８は、反射ユニット３０に連動して駆動され、メインミラー３２が上記ファインダ観察位置（Ｅ）にあるときには、スクリーン５の下方から−Ｘ方向、または、＋Ｘ方向に退避した退避位置（Ｈ）、または、（Ｋ）にある（図６）。
【００４３】
メインミラー３２が一方の退避位置（Ｆ）に移動するとリンク３５，３６を介してガイドピン３７ａ，３８ａが駆動され、一方の遮光幕ユニット３７は、ガイド部材３９のガイド溝３９ａによりガイドされてスクリーン５の下方の遮光位置（Ｉ）に移動する（図７）。他方の遮光幕ユニット３８は、ガイド部材３９のガイド溝３９ａによりガイドされ、退避位置（Ｆ）にあるメインミラー３２の外側の退避位置（Ｍ）に移動する（図７）。
【００４４】
同様にメインミラー３２が他方の退避位置（Ｇ）に移動するとリンク１６を介してガイドピン３７ａ，３８ａが駆動され、一方の遮光幕ユニット３７は、ガイド部材３９のガイド溝３９ａによりガイドされ、退避位置（Ｇ）にあるメインミラー３２の外側の退避位置（Ｊ）に移動する（図８）。他方の遮光幕ユニット３８は、ガイド部材３９のガイド溝３９ａによりガイドされてスクリーン５の下方の遮光位置（Ｌ）に移動する（図８）。
【００４５】
上述の構成を有する本実施形態の一眼レフカメラによる単写撮影動作は、第一の実施形態の一眼レフカメラ１０と同様に制御部９の制御のもとで各動作の制御が実行され、まず、電源オン時に反射ユニット３０を駆動し、メインミラー３２をレンズ光軸上のファインダ観察位置（Ｅ）に移動させる（図６）。また、遮光幕ユニット３７，３８は、退避位置（Ｈ）、または、（Ｋ）に移動する。この状態では撮影レンズ１を通して入射し、メインミラー３２で反射された被写体光束は、遮光幕ユニット３７，３８で遮られることなくスクリーン５側に達し、ペンタプリズム６と接眼レンズ７を介して光学ファインダによる被写体像の観察が可能である。
【００４６】
レリーズスイッチ（図示せず）の一段目操作にてメインミラー３２がファインダ観察位置（Ｅ）にある状態のままで該メインミラーを透過した被写体光束の一部がサブミラー３３で反射され、ＡＦセンサ部８に入射し、測距信号が検出される。該測距信号に基づいて撮影レンズ１のピント合わせが行われる。
【００４７】
続いて、上記レリーズスイッチの二段目操作により駆動モータ２９が駆動され、反射ユニット３０のミラー枠３１を＋Ｘ方向、または、−Ｘ方向にスライド駆動してメインミラー３２を退避位置（Ｆ）、または、（Ｇ）に移動させる（図７，８）。メインミラー３２が退避位置（Ｆ）に移動した場合、遮光幕ユニット３７がスクリーン５の下方の遮光位置（Ｉ）に移動し、遮光幕ユニット３８がメインミラー３２の側方の退避位置（Ｍ）に移動する。また、メインミラー３２が退避位置（Ｇ）に移動した場合、遮光幕ユニット３８がスクリーン５の下方の遮光位置（Ｌ）に移動し、遮光幕ユニット３７がメインミラー３２の側方の退避位置（Ｊ）に移動する。いずれの状態でもファインダ光学からの不要光は、遮光幕ユニット３７，３８により遮光され、撮影光路には進入しない。そして、被写体光束は、シャッタユニット３を透過して撮像素子４の受光面４ａ上に結像し、撮像素子４の露光が開始される。
【００４８】
撮像素子４による撮像信号は、画像処理後、メディア等の記憶媒体（図示せず）に記録される。露光終了後、反射ユニット３０は、−Ｘ方向、または、＋Ｘ方向にスライド駆動され、メインミラー３２が再度ファインダ観察位置（Ｅ）に戻され、遮光幕ユニット３７，３８は、退避位置（Ｈ）、または、（Ｋ）に戻される（図６）。
【００４９】
また、本実施形態の一眼レフカメラによる連写撮影動作も同様に制御部９の制御のもとで各動作の制御が実行される。まず、上記レリーズスイッチの一段目操作が行われると、上述した単写時と同様にメインミラー３２がファインダ観察位置（Ｅ）にある状態でＡＦセンサ部８による測距が実行され、撮影レンズ１のピント合わせが行われる。
【００５０】
続いて、上記レリーズスイッチの二段目操作により反射ユニット駆動モータ２９が正転、逆転駆動され、メインミラー３２が連写速度（コマ／秒）に応じてファインダ観察位置（Ｅ）から退避位置（Ｆ）、さらに、ファインダ観察位置（Ｅ）を経て退避位置（Ｇ）から再度ファインダ観察位置（Ｅ）へのスライド移動が繰り返される。反射ユニット３０に連動して遮光幕ユニット３７は、退避位置（Ｈ），遮光位置（Ｉ），退避位置（Ｈ），退避位置（Ｊ），退避位置（Ｈ）に移動し、同時に遮光幕ユニット３８も退避位置（Ｋ），退避位置（Ｍ），退避位置（Ｋ），遮光位置（Ｌ），退避位置（Ｋ）に移動する。
【００５１】
メインミラー３２がファインダ観察位置（Ｅ）に到達する度にＡＦセンサ部８による測距信号が検出される。また、ファインダによる観察もちらつきのある状態で可能である。そして、メインミラー３２が退避位置（Ｆ）、または、（Ｇ）に移動する度に遮光幕ユニット３７，３８が遮光位置（Ｉ）、または、（Ｌ）に位置し、ファインダ光学系からの不要光が撮影光路中に進入するのが防止される。
【００５２】
そこで、撮像素子４による連写のための露光が実行され、画像処理された画像信号は、順次、メディア等の記憶媒体に記録される。上記レリーズスイッチを解放したとき、連写撮影を終了させ、メインミラー３２をファインダ観察位置（Ｅ）に戻し、遮光幕ユニット３７，３８を退避位置（Ｈ），（Ｋ）に戻した状態で反射ユニット３０および遮光幕ユニット３７，３８を停止させる。
【００５３】
上述した本実施形態の一眼レフカメラによれば、前述した第一の実施形態の場合と同様に図１１に示される従来の一眼レフカメラ１００にて適用された揺動式可動ミラー１０２に替えてＸ方向にスライド移動可能な反射ユニット３０を採用していることで、反射ユニット３０のメインミラー３２が退避位置にある状態では遮光幕ユニット３７、または、３８のいずれかがスクリーン５の下方に移動しており、ファインダ側から撮像光路側への不要光が遮光されるので該不要光による影響がない良好な撮像信号が得られる。同時に、メインミラー３２およびサブミラー３３は、傾斜角度が一定の状態でスライド移動することから移動中を含み停止時においてもミラーのバウンドの影響がなく、素早く光学ファインダ観察状態に切り替え、また、速やかにＡＦ測距を行うことができ、同時に撮像素子４の露光状態への切り替え応答性も早くなる。
【００５４】
また、連写撮影時においては、上述した従来の一眼レフカメラ１００のように可動ミラーを揺動駆動させる必要がなく、上記メインミラー３２およびサブミラー３３をスライド移動させるのみでよく、バウンド現象も生じず、素早い測距が可能となり、例えば、１０コマ／秒以上の高速連写が可能になる。特にメインミラー３２およびサブミラー３３のＸ方向の幅に余裕寸法を持たせることによりメインミラー３２をファインダ観察位置（Ｅ）で必ずしも停止させる必要がなく、ミラー移動中に光学ファインダ観察や測距が可能となる。また、単写撮影字と同様に連写撮影時での撮像素子露光中、遮光幕ユニット３７，３８によりファインダ側から撮像光路側への不要光が遮光されるので該不要光による影響がない良好な撮像信号が得られる。
【００５５】
次に本発明の第三の実施形態の一眼レフカメラについて、図９を用いて説明する。  
図９は、本実施形態の一眼レフカメラにおける反射ユニットおよび遮光幕ユニットの主要構成を示す正面図であって、ファインダ観察／ＡＦ測距状態および撮像素子露光状態を示す。
【００５６】
本実施形態の一眼レフカメラは、前記第一の実施形態の一眼レフカメラ１０に対して反射ユニット及び遮光幕ユニットの構成のみが異なり、他の構成は同一である。同一の構成要素に対しては、同一の符号を付し、以下、異なる構成についてのみ説明する。
【００５７】
本実施形態の一眼レフカメラは、反射ユニット・遮光幕ユニット駆動機構部によりスライド駆動される一組の反射ユニット４０と遮光幕ユニット４５を有している。
【００５８】
反射ユニット４０は、図９に示すようにミラー枠４１と、該ミラー枠に保持され、上記被写体光束をファインダ光軸方向に反射するメインミラー４２と、該メインミラーの中央のハーフミラー部の裏面側に固定支持され、上記被写体光束の一部をＡＦセンサ部８側に反射するサブミラー４３とからなる。ミラー枠４１は、後述する反射ユニット・遮光幕ユニット駆動機構部によりガイド軸４４ａ，４４ｂに沿ってＸ方向にスライド移動可能に支持されている。
【００５９】
遮光幕ユニット４５は、複数の折りたたみ収納可能な薄板平板状の遮光シート４５ａ，４５ｂ，４５ｃ，…が連なって形成されており、一端部に支持ピン４６ａが配され、他端部に支持ピン４６ｂが設けられている。支持ピン４６ａ側は、ミラー枠４１の突起部に回動可能に連結され、支持ピン４６ｂは、カメラボディ側に回動可能に支持されている。
【００６０】
上記反射ユニット・遮光幕ユニット駆動機構部は、図９に示すようにレンズ光軸を挟んで斜め上下位置にＸ方向に沿って配置され、ミラー枠４１を摺動可能に支持する一対のガイド軸４４ａ，４４ｂと、反射ユニット４０をワイヤ等を介してスライド駆動する反射ユニット駆動モータ４９とからなる。
【００６１】
反射ユニット４０は、反射ユニット駆動モータ４９により上記反射ユニット・遮光幕ユニット駆動機構部を介して駆動され、メインミラー４２が＋Ｘ側のレンズ光軸上の第一の位置であるファインダ観察位置（Ｎ）と、−Ｘ側のレンズ光軸上から退避した第二の位置である退避位置（Ｐ）の間をレンズ光軸に対して所定の角度傾斜した状態を維持したままで移動する。メインミラー４２が上記ファインダ観察位置（Ｎ）にある状態では、上記被写体光束は、メインミラー４２により上方に反射され、スクリーン５上に達する。また、被写体光束の一部は、メインミラー４２のハーフミラー部を透過し、サブミラー４３で反射され、ＡＦセンサ部８に入射する。また、メインミラー４２が上記退避位置（Ｐ）にある状態では、上記被写体光束は、開状態のシャッタユニット３を透過し、撮像素子４の受光面４ａに達する。
【００６２】
遮光幕ユニット４５は、反射ユニット４０のミラー枠４１により支持ピン４６ａを介して連動駆動される。メインミラー４２が上記ファインダ観察位置（Ｎ）にあるときには、遮光シート４５ａ，４５ｂ，４５ｃ，…が折りたたまれてスクリーン５の下方から退避した退避位置（Ｑ）に収納される（図９）。この状態では、被写体光束は、メインミラー４２で反射され、遮光幕ユニット４５で遮られることなくスクリーン５に到達する。
【００６３】
また、遮光幕ユニット４５の各遮光板は、メインミラー４２が退避位置（Ｐ）に移動すると支持ピン４６ａを介して上記折りたたみ状態から−Ｘ方向に引き出され、スクリーン５の下方の遮光位置（Ｒ）に移動する（図９）。この状態では遮光幕ユニット４５によって上記ファインダ光学系の接眼レンズ７からペンタプリズム６を経てスクリーン５に達した不要光がカットされ、撮影光路内への進入が防止される。
【００６４】
上述の構成を有する本実施形態の一眼レフカメラによる単写撮影は、第一の実施形態の一眼レフカメラ１０と同様に制御部９の制御のもとで各動作の制御が実行され、まず、電源オン時に駆動モータ４９により反射ユニット４０を駆動し、メインミラー４２をレンズ光軸上のファインダ観察位置（Ｎ）に移動させる。また、遮光幕ユニット４５は、退避位置（Ｑ）に折りたたまれる。この状態では撮影レンズ１を通して入射する被写体光束がメインミラー４２で反射され、遮光幕ユニット４５で遮られることなくスクリーン５に達し、ペンタプリズム６と接眼レンズ７を介して光学ファインダによる被写体像の観察が可能である。
【００６５】
レリーズスイッチ（図示せず）の一段目操作にてメインミラー４２がファインダ観察位置（Ｎ）にある状態のままで該メインミラーを透過した被写体光束の一部がサブミラー４３で反射され、ＡＦセンサ部８に入射し、測距信号が検出される。該測距信号に基づいて撮影レンズ１のピント合わせが行われる。
【００６６】
続いて、上記レリーズスイッチの二段目操作により駆動モータ４９が駆動され、反射ユニット４０を−Ｘ方向にスライド駆動してメインミラー４２を退避位置（Ｐ）に移動させる。メインミラー４２の移動に連動して遮光幕ユニット４５が引き出されてスクリーン５の下方の遮光位置（Ｒ）に移動する。被写体光束は、開状態のシャッタユニット３を透過して撮像素子４の受光面４ａ上に結像し、撮像素子４の露光が開始される。このとき、ファインダ光学から進入する不要光束は、遮光幕ユニット４５によって撮影光路への進入が阻止される。
【００６７】
撮像素子４による撮像信号は、画像処理後、メディア等に記録される。露光終了後、反射ユニット４０は、＋Ｘ方向にスライド駆動され、メインミラー４２が再度ファインダ観察位置（Ｎ）に戻され、遮光幕ユニット４５は、退避位置（Ｑ）に戻される。
【００６８】
また、本実施形態の一眼レフカメラによる連写撮影も同様に制御部９の制御のもとで各動作の制御が実行される。まず、上記レリーズスイッチの一段目操作が行われると、上述した単写時と同様にメインミラー４２がファインダ観察位置（Ｎ）にある状態でＡＦセンサ部８による測距が実行され、撮影レンズ１のピント合わせが行われる。
【００６９】
続いて、上記レリーズスイッチの二段目操作により反射ユニット駆動モータ４９が正転および逆転駆動され、メインミラー４２が連写速度（コマ／秒）に応じてファインダ観察位置（Ｎ）から退避位置（Ｐ）間のスライド移動が繰り返される。連写撮影中、メインミラー４２がファインダ観察位置（Ｎ）に到達する度にＡＦセンサ部８による測距信号が検出される。また、ファインダによる観察もちらつきのある状態で可能である。また、メインミラー４２が退避位置（Ｐ）に移動する度に被写体光束は、撮像素子４の受光面４ａに到達し、撮像素子４による連写のための露光が実行される。このとき、遮光ユニット４０は遮光位置（Ｖ）にあり、上記ファインダ光学系から進入した不要光は、遮光ユニット４０により遮光され、撮影光路内への進入が防止される。
【００７０】
撮像素子４による撮像信号は、画像処理され、画像信号として順次メディア等に記録される。そのとき、ライブビュー表示も可能である。上記レリーズスイッチを解放したとき、メインミラー４２をファインダ観察位置（Ｎ）に戻した状態で反射ユニット４０を停止させ、連写撮影を終了させる。
【００７１】
上述した本実施形態の一眼レフカメラによれば、前述した第一の実施形態の場合と同様の効果を奏し、反射ユニット４０のメインミラー４２が退避位置にある撮像素子露光状態では遮光幕ユニット４５がスクリーン５の下方に展開しており、ファインダ側から撮像光路側へ進入する不要光が遮光されるので該不要光による影響がない良好な撮像信号が得られる。また、ファインダ観察状態では、遮光幕ユニット４５が折りたたまれた状態で収納されるので遮光幕ユニット４５の配置が容易である。
【００７２】
次に本発明の第四の実施形態の一眼レフカメラについて、図１０を用いて説明する。  
図１０は、本実施形態の一眼レフカメラにおける反射ユニットおよび遮光幕ユニットの主要構成を示す正面図であって、ファインダ観察／ＡＦ測距状態および撮像素子露光状態を示す。
【００７３】
本実施形態の一眼レフカメラは、前記第一の実施形態の一眼レフカメラ１０に対して反射ユニット及び遮光幕ユニットの構成のみが異なり、他の構成は同一である。同一の構成要素に対しては、同一の符号を付し、以下、異なる構成についてのみ説明する。
【００７４】
本実施形態の一眼レフカメラは、反射ユニット・遮光幕ユニット駆動機構部によりスライド駆動される一組の反射ユニット５０と遮光幕ユニット５５を有している。
【００７５】
反射ユニット５０は、図１０に示すようにミラー枠５１と、該ミラー枠に保持され、上記被写体光束をファインダ光軸方向に反射するメインミラー５２と、該メインミラーの中央のハーフミラー部の裏面側に固定支持され、上記被写体光束の一部をＡＦセンサ部８側に反射するサブミラー５３とからなり、ミラー枠５１は、後述する反射ユニット・遮光幕ユニット駆動機構部によりガイド軸５４ａ，５４ｂに沿ってＸ方向にスライド移動可能に支持されている。
【００７６】
遮光幕ユニット５５は、巻き込み収納可能な遮光シート部５６とワイヤ部５７で形成されている。一端部にワイヤ部５７を介して巻き取りプーリ５８ｂが接続され、他端部の支持ピン５８ａにバネ６０が懸架されている。支持ピン５８ａはミラー枠５１の突起部に連結されている。
【００７７】
上記反射ユニット・遮光幕ユニット駆動機構部は、図１０に示すようにレンズ光軸を挟んで斜め上下位置にＸ方向に沿って配置され、ミラー枠５１を摺動可能に支持する一対のガイド軸５４ａ，５４ｂと、巻き取りプーリ５８ｂを回転駆動して遮光幕ユニット５５および反射ユニット５０をスライド駆動する駆動モータ５９とからなる。
【００７８】
反射ユニット５０は、駆動モータ５９により遮蔽幕ユニット５５と連動する状態で支持ピン５８ａを介して駆動され、メインミラー５２が＋Ｘ側のレンズ光軸上の第一の位置であるファインダ観察位置（Ｓ）と、−Ｘ側のレンズ光軸上から退避した第二の位置である退避位置（Ｔ）の間をレンズ光軸に対して所定の角度傾斜した状態を維持したままの状態で移動する。メインミラー５２がファインダ観察位置（Ｓ）にある状態では、上記被写体光束は、メインミラー５２により上方に反射され、スクリーン５上に達する。また、被写体光束の一部は、メインミラー５２のハーフミラー部を透過し、サブミラー５３で反射され、ＡＦセンサ部８に入射する。また、メインミラー５２が上記退避位置（Ｔ）にある状態では、上記被写体光束は、開状態のシャッタユニット３を透過し、撮像素子４の受光面４ａに達する。
【００７９】
遮光幕ユニット５５は、駆動モータ５９により巻き取りプーリ５８ｂを回転駆動することによりスライド駆動され、メインミラー５２がファインダ観察位置（Ｓ）にあるときは、巻き取りプーリ５８ｂに巻き取られた状態の退避位置（Ｕ）にあり、メインミラー５２が退避位置（Ｔ）にあるときは、スクリーン５の下方の遮光位置（Ｖ）にスライド移動する。遮光幕ユニット５５が退避位置（Ｕ）にある状態では、被写体光束は、メインミラー５２で反射され、遮光幕ユニット５５で遮られることなくスクリーン５側に到達する。遮光幕ユニット５５が遮光位置（Ｖ）にある状態では、上記ファインダ光学系の接眼レンズ７からペンタプリズム６を経てスクリーン５に達した不要光が遮光幕ユニット５５によってカットされ、撮影光路内への進入が防止される。
【００８０】
上述の構成を有する本実施形態の一眼レフカメラによる単写撮影は、第一の実施形態の一眼レフカメラ１０と同様に制御部９の制御のもとで各動作の制御が実行され、動作は、上記第三の実施形態の場合と同様であって、電源オン時に反射ユニット５０がファインダ観察位置（Ｓ）にあって光学ファインダによる被写体像の観察が可能とする。レリーズスイッチ（図示せず）の一段目操作にてＡＦセンサ部８により測距信号が検出される。該測距信号に基づいて撮影レンズ１のピント合わせが行われる。さらに、上記レリーズスイッチの二段目操作により駆動モータ５９が駆動され、遮光幕ユニット５５が巻き取りプーリ５８ｂから引き出され、スクリーン５の下方の遮光位置（Ｖ）に移動する。反射ユニット５０も連動して駆動され、メインミラー５２が退避位置（Ｔ）にスライド移動する。被写体光束は、開状態のシャッタユニット３を透過して撮像素子４の受光面４ａ上に結像し、撮像素子４の露光が開始される。この状態ではファインダ光学系から進入した不要光は、遮光ユニットユニット５５により遮光され、撮影光路内への進入が防止される。
【００８１】
撮像素子４による撮像信号は、画像処理後、メディア等に記録される。露光終了後、反射ユニット５０は、＋Ｘ方向にスライド駆動され、メインミラー５２が再度、ファインダ観察位置（Ｓ）に戻され、遮光幕ユニット５５は、退避位置（Ｕ）に戻される。
【００８２】
また、本実施形態の一眼レフカメラによる連写撮影も同様に制御部９の制御のもとで各動作の制御が実行される。その動作は、第三の実施形態の場合と同様であって、上記レリーズスイッチの一段目操作が行われると、メインミラー５２がファインダ観察位置（Ｓ）にある状態でＡＦセンサ部８による測距が実行され、撮影レンズ１のピント合わせが行われる。上記レリーズスイッチの二段目操作により駆動モータ５９が正転および逆転駆動され、メインミラー５２が遮光幕ユニット５５とともに連写速度（コマ／秒）に応じてファインダ観察位置（Ｓ）から退避位置（Ｔ）間、また、退避位置（Ｕ）から遮光位置（Ｖ）間のスライド移動が繰り返され、連写撮影が実行される。
【００８３】
上述した本実施形態の一眼レフカメラによれば、前述した第一の実施形態の場合と同様の効果を奏し、反射ユニット５０のメインミラー５２が退避位置にある撮像素子露光状態では遮光幕ユニット５５がスクリーン５の下方に展開した状態で移動しており、ファインダ側から撮像光路側への不要光が遮光されるので該不要光による影響がない良好な撮像信号が得られる。また、ファインダ観察状態では、遮光幕ユニット５５が巻き取りプーリ５８ｂに巻き取られて収納されるので遮光幕ユニット５５の配置が容易である。
【００８４】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００８５】
本発明による一眼レフカメラは、簡単な構成を有し、撮像素子への露光状態と非露光状態との切り換えの応答性が早く、かつ、ファインダ光学系から入射する光の遮光も可能である一眼レフカメラとして利用することができる。
【図面の簡単な説明】
【００８６】
【図１】本発明の第一の実施形態の一眼レフカメラの主要構成を示す光軸側面から見た配置図であって、ファインダ観察／ＡＦ測距状態を示す。
【図２】図１の一眼レフカメラの主要構成を示す光軸側面から見た配置図であって、撮像素子露光状態を示す。
【図３】図１の一眼レフカメラに適用される反射ユニットと遮光幕ユニットのファインダ観察／ＡＦ測距状態における正面図である。
【図４】図１の一眼レフカメラに適用される反射ユニットと遮光幕ユニットの撮像素子露光状態における正面図である。
【図５】図１の一眼レフカメラの反射ユニットと遮光幕ユニットまわりの撮像素子露光状態における斜視図である。
【図６】本発明の第二の実施形態の一眼レフカメラにおける反射ユニットおよび遮光幕ユニットの主要構成を示す正面図であって、ファインダ観察／ＡＦ測距状態を示す。
【図７】図６の一眼レフカメラにおける反射ユニットおよび遮光幕ユニットの主要構成を示す正面図であって、撮像素子露光状態を示す。
【図８】図６の一眼レフカメラにおける反射ユニットおよび遮光幕ユニットの主要構成を示す正面図であって、ファインダ観察／ＡＦ測距状態を示す。
【図９】本発明の第三の実施形態の一眼レフカメラにおける反射ユニットおよび遮光幕ユニットの主要構成を示す正面図であって、ファインダ観察／ＡＦ測距状態および撮像素子露光状態を示す。
【図１０】本発明の第四の実施形態の一眼レフカメラにおける反射ユニットおよび遮光幕ユニットの主要構成を示す正面図であって、ファインダ観察／ＡＦ測距状態および撮像素子露光状態を示す。
【図１１】従来の一眼レフカメラの主要構成を示す光軸側面から見た配置図である。
【符号の説明】
【００８７】
１  …撮影レンズ（撮影光学系）
２，３０，４０，５０…反射ユニット
４  …撮像素子
５  …スクリーン（ファインダ光学系）
６  …ペンタプリズム（ファインダ光学系）
７  …接眼レンズ（ファインダ光学系）
１２，３２，４２，５２
…メインミラー（反射ユニット）
１７，４５，５５…遮光幕ユニット
３７…遮光幕ユニット（第一の可動遮光幕）
３８…遮光幕ユニット（第二の可動遮光幕）
Ａ，Ｅ，Ｎ，Ｓ
…ファインダ観察位置（第一の位置）
Ｂ，Ｆ，Ｇ，Ｐ，Ｔ
…撮像素子露光位置（第二の位置）
Ｄ，Ｉ，Ｌ，Ｒ，Ｖ…遮光位置
【図１】
2009037132.tif 000003
【図２】
2009037132.tif 000004
【図３】
2009037132.tif 000005
【図４】
2009037132.tif 000006
【図５】
2009037132.tif 000007
【図６】
2009037132.tif 000008
【図７】
2009037132.tif 000009
【図８】
2009037132.tif 000010
【図９】
2009037132.tif 000011
【図１０】
2009037132.tif 000012
【図１１】
2009037132.tif 000013